(57)【要約】【課題】無線通信端末において，設定情報が記憶されていない新たな周辺装置と通信を行うことを可能とする手段の提供。【解決手段】周辺装置と無線通信を行う無線通信端末であって，周辺装置と無線通信を行うための設定情報を記憶する記憶手段と，設定情報を記憶するサーバーと通信を行う通信手段と，前記記憶手段に記憶されていない設定情報を前記サーバーから取得する取得手段と，を備える。【選択図】図１
2013239981.tif 000002
【特許請求の範囲】
【請求項１】
周辺装置と無線通信を行う無線通信端末であって，
周辺装置と無線通信を行うための設定情報を記憶する記憶手段と，
設定情報を記憶するサーバーと通信を行う通信手段と，
前記記憶手段に記憶されていない設定情報を前記サーバーから取得する取得手段と，
を備えることを特徴とする無線通信端末。
【請求項２】
前記記憶手段に記憶されていない設定情報を自動的に取得するか否かの指示を受け付ける第１の受付手段と，
前記受付手段が前記記憶手段に記憶されていない設定情報を自動的に取得しない設定を受け付けている場合，前記記憶手段に記憶されていない情報を取得するか否かの指示を受け付ける第２の受付手段と，
を更に備え，
前記取得手段は，前記第１の受付手段が前記記憶手段に記憶されていない設定情報を自動的に取得する指示を受け付けている場合，前記記憶手段に記憶されていない設定情報を自動的に取得し，前記第１の受付手段が前記記憶手段に記憶されていない設定情報を自動的に取得しない指示を受け付けている場合，前記第２の受付手段が前記記憶手段に記憶されていない設定情報を取得する旨の指示を受け付けた場合に，前記記憶手段に記憶されていない設定情報を取得する
ことを特徴とする請求項１に記載の無線通信端末。
【請求項３】
周辺装置と無線通信を行う無線通信端末を，
周辺装置と無線通信を行うための設定情報を記憶する記憶手段，
通信情報を記憶するサーバーと通信を行う通信手段，
前記記憶手段に記憶されていない通信情報を前記サーバーから取得する取得手段，
として機能させるためのプログラム。
【請求項４】
前記無線通信端末を
前記記憶手段に記憶されていない設定情報を自動的に取得するか否かの指示を受け付ける第１の受付手段，
前記受付手段が前記記憶手段に記憶されていない設定情報を自動的に取得しない設定を受け付けている場合，前記記憶手段に記憶されていない情報を取得するか否かの指示を受け付ける第２の受付手段，
として更に機能させ，
前記取得手段は，前記第１の受付手段が前記記憶手段に記憶されていない設定情報を自動的に取得する指示を受け付けている場合，前記記憶手段に記憶されていない設定情報を自動的に取得し，前記第１の受付手段が前記記憶手段に記憶されていない設定情報を自動的に取得しない指示を受け付けている場合，前記第２の受付手段が前記記憶手段に記憶されていない設定情報を取得する旨の指示を受け付けた場合に，前記記憶手段に記憶されていない設定情報を取得する
ことを特徴とする請求項３に記載のプログラム。
【発明の詳細な説明】
【技術分野】
【０００１】
本発明は，周辺装置と無線通信を行う無線通信端末，該無線通信端末を機能させるためのプログラムに関する。
【背景技術】
【０００２】
携帯電話やスマートフォン等の無線通信端末と，キーボードやヘッドホン等の周辺装置との間で，Bluetooth（登録商標）等の無線通信規格に基づいて，通信を行う技術が提供されている。無線通信端末と周辺装置とは，最初に通信を行う際に，ペアリングを行う必要がある。従来，ユーザーは，ペアリングを行わせるために，まず，周辺装置を無線通信端末から発見可能な状態（いわゆるペアリングモード）に設定する。次に，無線通信端末において，予め記憶されている複数の周辺装置の中から，所望のペアリング対象の周辺装置を選択する。ユーザーにより周辺装置が選択されると，無線通信端末は，選択された周辺装置を捜索し，ペアリングを行う。
【先行技術文献】
【特許文献】
【０００３】
【特許文献１】特開２０１１−１８２４０７号公報
【発明の概要】
【発明が解決しようとする課題】
【０００４】
ここで，無線通信端末には，予め，複数の周辺装置と通信を行うための設定情報，いわゆる，ペアリング情報が記憶されているが，新たな周辺装置が発売された場合は，その周辺装置のペアリング情報が記憶されていないため，その周辺装置と通信を行うことができないという問題があった。
【０００５】
そこで本発明は，上記課題に鑑み，設定情報が記憶されていない新たな周辺装置と通信を行うことを可能とする無線通信端末及び無線通信端末を機能させるためのプログラムの提供を目的とする。
【課題を解決するための手段】
【０００６】
本発明の無線通信端末は，周辺装置と無線通信を行う無線通信端末であって，周辺装置と無線通信を行うための設定情報を記憶する記憶手段と，設定情報を記憶するサーバーと通信を行う通信手段と，前記記憶手段に記憶されていない設定情報を前記サーバーから取得する取得手段と，を備えることを特徴とする。
【０００７】
上記構成の無線通信端末によれば，取得手段により，記憶手段に記憶されていない設定情報がサーバーから取得されるから，取得した設定情報により，設定情報が記憶されていなかった新たな周辺装置と通信を行うことができる。
【０００８】
本発明の無線通信端末は，前記記憶手段に記憶されていない設定情報を自動的に取得するか否かの指示を受け付ける第１の受付手段と，前記受付手段が前記記憶手段に記憶されていない設定情報を自動的に取得しない設定を受け付けている場合，前記記憶手段に記憶されていない情報を取得するか否かの指示を受け付ける第２の受付手段と，を更に備え，前記取得手段は，前記第１の受付手段が前記記憶手段に記憶されていない設定情報を自動的に取得する指示を受け付けている場合，前記記憶手段に記憶されていない設定情報を自動的に取得し，前記第１の受付手段が前記記憶手段に記憶されていない設定情報を自動的に取得しない指示を受け付けている場合，前記第２の受付手段が前記記憶手段に記憶されていない設定情報を取得する旨の指示を受け付けた場合に，前記記憶手段に記憶されていない設定情報を取得することを特徴とする。
【０００９】
上記構成の無線通信端末によれば，取得手段により，第１の受付手段が記憶手段に記憶されていない設定情報を自動的に取得する指示を受けて付けている場合に，記憶手段に記憶されていない設定情報が取得されるから，ユーザーの好みにより，自動的に設定情報を取得する否かを設定することが可能である。
【００１０】
本発明のプログラムは，周辺装置と無線通信を行う無線通信端末を，周辺装置と無線通信を行うための設定情報を記憶する記憶手段，設定情報を記憶するサーバーと通信を行う通信手段，前記記憶手段に記憶されていない設定情報を前記サーバーから取得する取得手段，として機能させることを特徴とする。
【００１１】
上記構成のプログラムによれば，取得手段により，記憶手段に記憶されていない設定情報がサーバーから取得されるから，取得した設定情報により，設定情報が記憶されていなかった新たな周辺装置と通信を行うことができる。
【００１２】
本発明のプログラムは，前記無線通信端末を前記記憶手段に記憶されていない設定情報を自動的に取得するか否かの指示を受け付ける第１の受付手段，前記受付手段が前記記憶手段に記憶されていない設定情報を自動的に取得しない設定を受け付けている場合，前記記憶手段に記憶されていない情報を取得するか否かの指示を受け付ける第２の受付手段，として更に機能させ，前記取得手段は，前記第１の受付手段が前記記憶手段に記憶されていない設定情報を自動的に取得する指示を受け付けている場合，前記記憶手段に記憶されていない設定情報を自動的に取得し，前記第１の受付手段が前記記憶手段に記憶されていない設定情報を自動的に取得しない指示を受け付けている場合，前記第２の受付手段が前記記憶手段に記憶されていない設定情報を取得する旨の指示を受け付けた場合に，前記記憶手段に記憶されていない設定情報を取得することを特徴とする。
【００１３】
上記構成のプログラムによれば，取得手段により，第１の受付手段が記憶手段に記憶されていない設定情報を自動的に取得する指示を受けて付けている場合に，記憶手段に記憶されていない設定情報が取得されるから，ユーザーの好みにより，自動的に設定情報を取得する否かを設定することが可能である。
【発明の効果】
【００１４】
本発明の通信端末装置およびプログラムによれば，取得手段により，記憶手段に記憶されていない設定情報がサーバーから取得されるから，取得した設定情報により，設定情報が記憶されていなかった新たな周辺装置と通信を行うことができる。
【図面の簡単な説明】
【００１５】
【図１】本発明の実施形態に係るスマートフォン（無線通信端末）の一例を示すブロック図
【図２】同スマートフォンが記憶している設定情報テーブルの一例を示す図
【図３】同スマートフォンの周辺装置とのペアリング処理動作を示すフローチャート
【図４】同スマートフォンの周辺装置とのペアリング処理動作を示すフローチャート
【発明を実施するための形態】
【００１６】
以下，本発明の実施形態に係るスマートフォン（無線通信端末）を，図面に基づいて説明する。図１は本発明の実施形態に係るスマートフォンの一例を示すブロック図，図２は同スマートフォンが記憶している設定情報テーブルの一例を示した図，図３及び図４は同スマートフォンの周辺装置とのペアリング処理動作を示すフローチャートである。
【００１７】
スマートフォン１０は，図示しないヘッドホンやキーボード等の周辺装置とBluetooth（登録商標）規格に基づいて無線通信を行う機能を有する。以下，スマートフォン１０の概略構成について説明する。
【００１８】
スマートフォン１０は，図１に示すように，制御部１１，記憶部１２，表示部１３，操作部１４，通信部１５， Bluetooth通信部１６を有する。制御部１１は，スマートフォン１０を構成する各部を制御するものである。記憶部１２は，各部の制御プログラム，ＯＳプログラム，アプリケーションプログラム，および，これらプログラムを実行するときに読み出す各種データを記録するものである。例えば，半導体メモリ等の記憶装置によって構成されており，必要に応じてＲＯＭ（Read Only Memory）等の不揮発性の記憶装置によって構成されている。また，記憶部１２は，スマートフォン１０と周辺装置とを接続させるためのペアリングプログラム，周辺装置とペアリング（通信）を行うための設定情報，いわゆる，ペアリング情報を記憶している（記憶手段）。 
【００１９】
更に，記憶部１２には，周辺装置のペアリング情報が記憶されているか否かを示す設定情報テーブルが格納されている。図２は，設定情報テーブルの一例を示すものである。図示するように，設定情報テーブルは，「ジャンル」フィールドと，「周辺装置情報」フィールドとを備える。「ジャンル」フィールドには，周辺装置のジャンルが格納されている。周辺装置のジャンルとしては，マウス・キーボード等の入力機器，ヘッドセット，イヤホン，スピーカー等がある。「周辺装置情報」フィールドには，ペアリング情報を記憶部１２に記憶している周辺装置の情報（例えば，型番）が格納されている。
【００２０】
表示部１３は，記憶部１２に記憶されているコンテンツや動画ファイル，その他，各種の設定情報等を表示するものであり，液晶パネルにより構成されている。操作部１４は，各種設定を行うための操作キー，及び，表示部１３と連動したタッチパネルを備えている。ペアリングプログラムの起動中において，操作部１４の所定のキーを操作することにより，記憶部１２に記憶されていないペアリング情報をサーバー２０から自動的に取得するか否かの指示を受け付けるための画面が表示部１３表示され，記憶部１２に記憶されていないペアリング情報を自動的に取得するか否かの指示（自動更新モードの有効無効の指示）が受け付けられるようになっている（第１の受付手段）。自動更新モードが有効か否かの情報は，記憶部１２に記憶されるようになっている。
【００２１】
通信部１５は，図示しない携帯電話網および携帯基地局を介してインターネットに接続可能なように構成されており，該通信部１５を介してペアリング情報を記憶しているサーバー２０と通信可能になっている。Bluetooth通信部１６は，Bluetooth規格に基づいて，周辺装置と無線通信を行う（通信手段）。
【００２２】
サーバー２０には，スマートフォン１０が周辺装置とペアリングを行うためのペアリング情報が記憶されており，適宜，新たな周辺装置のペアリング情報を書き込み可能となっている。
【００２３】
上記構成を備えたスマートフォン１０において，ペアリングプログラムが起動された場合の処理について説明する。なお，処理は全て制御部１１により各部が制御され実行される。
【００２４】
ペアリングプログラムが起動されると， 周辺装置とのBluetooth接続が可能なBluetooth接続モードが有効であるかを確認する（Ｓ１）。接続モードが有効であるか否かの情報は，記憶部１２に記憶されている。接続モードが無効である場合（Ｓ１：Ｎｏ），表示部１３にユーザーに接続モードを有効にするか否かを尋ねるメッセージ及び接続モードを有効にするか否かの指示を受け付けるボタンを表示し，接続モードを有効にする旨の指示を受け付けたか否かを判断する（Ｓ２）。有効にする旨の指示を受け付けなかった場合（有効にすることを拒否する旨の指示を受け付けた場合）（Ｓ２：Ｎｏ），処理を終了する。
【００２５】
一方，接続モードを有効にする旨の指示を受け付けた場合（Ｓ２：Ｙｅｓ），接続モードを有効にする（Ｓ３）。このとき，記憶部１２に，接続モードが有効である旨の情報が書き込まれる。接続モードが有効である場合（Ｓ１：Ｙｅｓ），および，接続モードを有効にした後，周辺装置のペアリング情報を自動的に更新する自動更新モードが有効であるか否かを判断する（Ｓ４）。自動更新モードが有効である場合（Ｓ４：Ｙｅｓ），記憶部１２に記憶されていない新たな周辺装置のペアリング情報がサーバー２０に存在するかを確認する（Ｓ５）。サーバー２０に新たな周辺装置のペアリング情報がない場合（Ｓ６：Ｎｏ），新たな周辺装置のペアリング情報がない旨のメッセージを表示部１３に表示する（Ｓ７）。サーバー２０に新たな周辺装置のペアリング情報がある場合（Ｓ６：Ｙｅｓ），サーバー２０から新たな周辺装置の設定情報を取得し，記憶部１２に記憶する（Ｓ８，取得手段）。
【００２６】
自動更新モードが有効でない場合も（Ｓ４：Ｎｏ），記憶部１２に記憶されていない新たな周辺装置のペアリング情報がサーバー２０に存在するかを確認する（Ｓ９）。サーバー２０に新たな周辺装置のペアリング情報がない場合（Ｓ１０：Ｎｏ），新たな周辺装置のペアリング情報がない旨のメッセージを表示部１３に表示する（Ｓ７）。サーバー２０に新たな周辺装置の設定情報がある場合（Ｓ１０：Ｙｅｓ），新たな周辺装置の情報（ジャンルの種類や型番等），その周辺装置のペアリング情報を取得するか否かを尋ねるメッセージ，及びその周辺装置のペアリング情報を取得するか否かの指示を受け付けるボタンを表示し，取得する旨の指示を受け付けたか否かを判断する（Ｓ１１，第２の受付手段）。取得する旨の指示を受け付けた場合（Ｓ１１：Ｙｅｓ），サーバー２０から新たな周辺装置の設定情報を取得し，記憶部１２に記憶する（Ｓ８，取得手段）。
【００２７】
次に，ペアリングを行う周辺装置の選択を受け付けるための画面を表示し，ペアリングを行う周辺装置の選択を受け付け（Ｓ１２：Ｙｅｓ），選択を受け付けた周辺装置がペアリング済であるかを判断する（Ｓ１３）。選択を受け付けた周辺装置がペアリング済である場合，ペアリング済である旨のメッセージを表示部１３に表示する（Ｓ１４）。選択を受け付けた周辺装置をペアリング可能な状態にするための操作方法を表示部１３に表示し，スマートフォン１０をペアリング可能な状態にするための指示を受け付けるためのボタンを表示する（Ｓ１５）。ペアリング可能な状態にするための指示を受け付けると（Ｓ１５：Ｙｅｓ）選択を受け付けた周辺装置のペアリング情報に基づいて，選択を受け付けた周辺装置とペアリングを行う（Ｓ１６）。ペアリングが失敗した場合は（Ｓ１７：Ｎｏ），ペアリングが失敗した旨のメッセージ及び再度ペアリング可能な状態にするための指示を受け付けるためのボタンを表示する（Ｓ１５）。ペアリング処理が成功した場合（Ｓ１７：Ｙｅｓ）， ペアリングが完了した旨のメッセージを表示部  に表示する（Ｓ１８）。
【００２８】
なお，ペアリングプログラムの起動中，ユーザーは，周辺装置の設定情報を削除する為の画面を表示し，自動更新モードの有効無効の設定や周辺装置の設定情報の削除を行うことが可能である。
【００２９】
上記のように，記憶部１２に記憶されていない設定情報がサーバー２０から取得されるから，取得した設定情報により，設定情報が記憶されていなかった新たな周辺装置と通信を行うことができる。
【符号の説明】
【００３０】
１０…スマートフォン，１１…制御部，１２…記憶部，１３…表示部，１４…操作部，１５…通信部，１６…Bluetooth通信部，２０…サーバー
【図１】
2013239981.tif 000003
【図２】
2013239981.tif 000004
【図３】
2013239981.tif 000005
【図４】
2013239981.tif 000006